(57)【特許請求の範囲】
【請求項１】
対象者の生体情報を取得して前記対象者の状態を監視する監視機能を有する電話機において、
前記電話機は、前記対象者が所持する子機と、前記子機が接続され、前記対象者が所持する前記子機を特定する子機特定部を有する親機と、を備えるとともに、
前記対象者を特定する個人情報を記憶する個人情報記憶部と、
前記個人情報により特定される前記対象者の連絡先を記憶する連絡先記憶部と、
生体情報を取得する取得手段と、
取得した前記対象者の前記生体情報に異常があるか否かを判定する異常有無判定部と、
前記取得手段で取得した生体情報と該生体情報の対象者の個人情報とを対応付ける生体情報特定手段と、を備え、
前記異常有無判定部において生体情報に異常があると判定された場合、前記生体情報特定手段で該生体情報と対応付けられた個人情報で特定される連絡先を前記連絡先記憶部より読出し、連絡することを特徴とする電話機。
【請求項２】
請求項１に記載の電話機において、
前記子機は、前記対象者に対して、前記生体情報の取得を促す報知を行う報知部を備えることを特徴とする電話機。
【請求項３】
請求項１又は２に記載の電話機において、
前記異常有無判定部は、前記生体情報に異常があると判定した場合、前記対象者に対してアンケートを実施し、そのアンケート結果を選択された前記連絡先に連絡することを特徴とする電話機。
【発明の詳細な説明】
【技術分野】
【０００１】
本発明は、対象者の生体情報を取得して前記対象者の状態を監視する監視機能を有する電話機に関する。
【背景技術】
【０００２】
従来より、医療機関から離れた場所にいる在宅者や、一人暮らしの高齢者等の健康状態を監視するため、例えば、自宅内に配備した血圧計、脈拍計、心電計等を用いて対象者の生体情報を取得し、取得した生体情報を通信手段を介して医療サービスセンタに送信することにより、遠隔地から対象者の健康状態を監視するシステムが開発されている。
【０００３】
例えば、特許文献１（特開２０００−９３３９６号公報）には、対象者の自宅にある心電計や血圧計により対象者の生体情報を測定し、その生体情報に基づいて対象者の状態を判定し、不整脈等の問題のあることが検出された場合、測定した生体情報を対象者が所持する携帯電話機を介してサービスセンタのサーバに送信して蓄積する一方、サービスセンタは、送信された生体情報に基づき、判定装置により検査の要否を判定し、検査が必要であると判定された場合に、サービスセンタから医療機関に連絡するように構成した生体監視システムが開示されている。
【先行技術文献】
【特許文献】
【０００４】
【特許文献１】特開２０００−９３３９６号公報（段落［００５７］〜［００６４］、図１）
【発明の概要】
【発明が解決しようとする課題】
【０００５】
しかしながら、上記特許文献１は、サービスセンタにおいて、生体情報に基づく検査の要否を判定する構成になっているため、サービスセンタを含むシステムの構築に多額の費用と時間を要してしまう。また、サービスセンタと対象者が所持する携帯電話機とは、データを蓄積するサーバを介して接続されているだけであり、データの送受信を行うことはできるが、サービスセンタと携帯電話機との間、または、外部の医療機関と携帯電話機との間で、通話を含む通信を行う構成にはなっていない。従って、対象者の状態を必ずしも正確に監視できる保証が得られるものではない。
【０００６】
本発明は、上記の問題点を解消することを課題とするものであり、特定の対象者の状態を的確に監視することのできる電話機を提供することを目的とするものである。
【課題を解決するための手段】
【０００７】
前記課題を解決するために、本願の請求項１にかかる発明は、対象者の生体情報を取得して前記対象者の状態を監視する監視機能を有する電話機において、前記電話機は、前記対象者が所持する子機と、前記子機が接続され、前記対象者が所持する前記子機を特定する子機特定部を有する親機と、を備えるとともに、前記対象者を特定する個人情報を記憶する個人情報記憶部と、前記個人情報により特定される前記対象者の連絡先を記憶する連絡先記憶部と、生体情報を取得する取得手段と、取得した前記対象者の前記生体情報に異常があるか否かを判定する異常有無判定部と、前記取得手段で取得した生体情報と該生体情報の対象者の個人情報とを対応付ける生体情報特定手段と、を備え、前記異常有無判定部において生体情報に異常があると判定された場合、前記生体情報特定手段で該生体情報と対応付けられた個人情報で特定される連絡先を前記連絡先記憶部より読出し、連絡することを特徴とする。
【０００９】
本願の請求項２に係る発明は、請求項１に記載の電話機において、前記子機は、前記対象者に対して、前記生体情報の取得を促す報知を行う報知部を備えることを特徴とする。
【００１０】
本願の請求項３に係る発明は、請求項１又は２に記載の電話機において、前記異常有無判定部は、前記生体情報に異常があると判定した場合、前記対象者に対してアンケートを実施し、そのアンケート結果を選択された前記連絡先に連絡することを特徴とする。
【発明の効果】
【００１１】
請求項１にかかる発明においては、対象者の生体情報を取得して前記対象者の状態を監視する監視機能を有する電話機において、前記対象者を特定する個人情報を記憶する個人情報記憶部と、前記個人情報により特定される前記対象者の連絡先を記憶する連絡先記憶部と、生体情報を取得する取得手段と、取得した前記対象者の前記生体情報に異常があるか否かを判定する異常有無判定部と、前記取得手段で取得した生体情報と該生体情報の対象者の個人情報とを対応付ける生体情報特定手段と、を備え、前記異常有無判定部において生体情報に異常があると判定された場合、前記生体情報特定手段で該生体情報と対応付けられた個人情報で特定される連絡先を前記連絡先記憶部より読出し、連絡するように構成されている。
【００１２】
このように構成することにより、取得した対象者の生体情報に異常があると判定された場合、電話機を介して対象者の特定の連絡先に対象者の状態を的確に連絡することができる。従って、連絡を受けた者は、対象者の状態を的確に監視できるとともに、対象者に対する適切な対処を迅速に行うことができる。
【００１３】
また、請求項１にかかる発明においては、対象者が個別に所持する子機を特定し、その子機を所持する対象者の状態を選択された連絡先に連絡することができる。
【００１４】
請求項２にかかる発明においては、請求項１にかかる発明において、対象者に対して生体情報の取得を促す報知を行うことにより、当該対象者から生体情報を確実に取得し、必要に応じて連絡先に連絡することができる。
【００１５】
請求項３にかかる発明においては、請求項１又は２にかかる発明において、生体情報に異常があると判定された場合、対象者に対してアンケートを実施し、そのアンケート結果を選択された連絡先に連絡することにより、連絡を受けたものは、対象者の状態をより適切に判断することができる。
【図面の簡単な説明】
【００１６】
【図１】本発明の実施例にかかる生体監視システムのブロック図である。
【図２】本発明の実施例にかかる生体監視システムを構成する子機の構成ブロック図である。
【図３】本発明の実施例にかかる生体監視システムを構成する親機の構成ブロック図である。
【図４】本発明の実施例にかかる生体監視システムを構成する子機の動作フローチャートである。
【図５】本発明の実施例にかかる生体監視システムを構成する親機の動作フローチャートである。
【発明を実施するための形態】
【００１７】
以下、本発明の具体例を実施例及び図面を用いて詳細に説明する。但し、以下に示す実施形態は、本発明の技術的思想を具体化するための電話機を例示するものであって、本発明をこの電話機に特定することを意図するものではなく、特許請求の範囲に含まれるその他の実施形態の電話機にも等しく適応し得るものである。
【実施例】
【００１８】
図１は、本発明の実施例にかかる生体監視システム１０のブロック図である。生体監視システム１０は、例えば、自宅内に設置される電話機である親機１１、親機１１の管理下にあり、生体監視の対象者が所持する電話機である子機１２、親機１１に接続され、前記対象者の生体情報を測定する測定器１３、および、親機１１に接続される外部の連絡先である電話機又はパソコン等の外部送受信機１４を備えて構成される。
【００１９】
親機１１には、生体監視の各対象者が所持する複数台の子機１２を接続することができる。親機１１と子機１２は、無線通信によって接続される。また、親機１１に接続される測定器１３は、例えば、血圧計、心電計、尿糖計、脈拍計、体組成計等であり、これらの測定器１３は、Ｂｌｕｅｔｏｏｔｈ、赤外線通信、ＷｉＦｉ（Ｗｉｒｅｌｅｓｓ  Ｆｉｄｅｌｉｔｙ）、特定小電力無線等の無線通信、又は、ＵＳＢ接続等の有線通信により親機１１に接続される。さらに、親機１１と外部送受信機１４は、電話回線、無線ＬＡＮ、有線ＬＡＮ等によって接続される。
【００２０】
図２は、子機１２の構成ブロック図である。子機１２は、子機１２の全体を統括制御する制御部１５を有する。制御部１５は、ＣＰＵ１６、ＲＯＭ１７、ＲＡＭ１８を有するマイクロプロセッサで構成され、ＲＯＭ１７に記録された制御プログラムに従って子機１２の動作制御を行うものである。
【００２１】
制御部１５には、個人情報記憶部１９、メッセージ記憶部２０、アンケート情報記憶部２１、異常有無判定部２２、測定結果記憶部２３、アンケート結果記憶部２４、通信部２５、操作部２６、表示部２７及びスピーカ２８が接続される。
【００２２】
個人情報記憶部１９には、当該子機１２を所持する生体監視の対象者を特定する個人情報、例えば、対象者の氏名、性別、年齢、ＩＤ番号、使用する測定器１３の種類、測定する日時や測定回数等が、当該子機１２を特定する子機ＩＤ情報とともに記憶される。
【００２３】
メッセージ記憶部２０には、当該子機１２を所持する対象者に対して、生体情報の測定時において、例えば、「○○さん、△△の測定時刻です。」、「○○さん、今日は、△△の測定日です。」といった、測定を促すためのメッセージが記憶される。
【００２４】
アンケート情報記憶部２１には、生体情報の測定の結果、アンケートの実施が必要であると判定された際に、当該子機１２を所持する対象者に対して行うアンケート情報が記憶される。なお、本実施例では、生体情報の測定結果は、親機１１から供給される。
【００２５】
異常有無判定部２２は、当該子機１２を所持する対象者の生体情報の測定結果を所定の基準値と比較することにより、対象者の健康状態に異常があるか否かを判定するものである。異常が有ると判定された場合、アンケート情報記憶部２１に記憶されているアンケート情報に従い、対象者に対してアンケートが実施される。
【００２６】
測定結果記憶部２３には、当該子機１２を所持する対象者の生体情報の測定結果が記憶される。また、アンケート結果記憶部２４には、当該子機１２を所持する対象者に対して実施したアンケートの結果が記憶される。
【００２７】
通信部２５は、親機１１との間で通信を行い、親機１１から当該子機１２を所持する対象者にかかる測定結果を受信する一方、親機１１に対して、アンケート結果記憶部２４に記憶されたアンケート結果を送信する。また、通信部２５は、親機１１を介して、連絡先である外部送受信機１４との間でデータの送受信を行うとともに、外部送受信機１４と通話を行うものである。
【００２８】
操作部２６は、子機１２の各種操作を行うものであり、表示部２７は、当該子機１２を所持する対象者に対して必要な情報を表示するものである。スピーカ２８は、当該子機１２を所持する対象者に対して音声によるメッセージを報知するものである。表示部２７及びスピーカ２８は、報知部として機能する。
【００２９】
図３は、親機１１の構成ブロック図である。親機１１は、親機１１の全体を統括制御する制御部２９を有する。制御部２９は、ＣＰＵ３０、ＲＯＭ３１、ＲＡＭ３２を有するマイクロプロセッサで構成され、ＲＯＭ３１に記録された制御プログラムに従って親機１１の動作制御を行うものである。制御部２９は、子機１２を特定する子機特定部として機能する。
【００３０】
制御部２９には、子機ＩＤ情報記憶部３３、連絡先記憶部３４、測定結果記憶部３５、アンケート結果記憶部３６、ＳＤカードアダプタ３７、通信部３８、操作部３９、表示部４０、スピーカ４１、ビデオカメラ４２及び測定器アダプタ４３、生体情報特定手段４５が接続される。
【００３１】
子機ＩＤ情報記憶部３３には、親機１１に接続される各子機１２を特定するための子機ＩＤ情報が記憶される。子機ＩＤ情報には、子機１２の電話番号を含めることができる。
【００３２】
連絡先記憶部３４には、各子機１２を所持する対象者を監視する外部送受信機１４である子機１２に特定される連絡先の電話番号等が、各子機１２を特定する子機ＩＤ情報とともに記憶される。
【００３３】
測定結果記憶部３５には、測定器１３によって測定された対象者の生体情報が子機ＩＤ情報とともに記憶される。また、アンケート結果記憶部３６には、子機１２から取得した各対象者のアンケート結果が子機ＩＤ情報とともに記憶される。
【００３４】
ＳＤカードアダプタ３７には、子機ＩＤ情報、連絡先情報、測定結果、アンケート結果等がバックアップデータとして記憶されるＳＤカード４４が接続される。
【００３５】
通信部３８は、子機１２との間で通信を行い、測定器１３により測定された生体情報を子機１２に送信する一方、子機１２からアンケート結果を受信する。また、通信部３８は、連絡先である外部送受信機１４に対して、対象者の状態に関する情報を送信するとともに、親機１１を介して、外部送受信機１４と子機１２との間の通話を仲介するものである。
【００３６】
操作部３９は、親機１１の各種操作を行うものであり、表示部４０は、親機１１に必要な情報を表示するものである。スピーカ４１は、親機１１において音声によるメッセージを報知するものである。
【００３７】
ビデオカメラ４２は、必要に応じて、子機を所持する対象者の画像を撮影するものである。撮影された画像は、測定結果記憶部３５に記憶させ、又は、通信部３８を介して外部送受信機１４に送信される。
【００３８】
測定器アダプタ４３は、生体情報を取得するための取得手段として機能するものであり、測定器アダプタ４３には、各種測定器が接続される。測定器アダプタ４３と測定器１３とは、Ｂｌｕｅｔｏｏｔｈ、赤外線通信、ＷｉＦｉ、特定小電力無線等の無線通信、又は、ＵＳＢ接続等の有線通信によって測定された生体情報等のデータ送受信を行うことが可能である。測定器１３によって測定された生体情報は、測定器アダプタ４３を介して制御部２９に送信されて処理される。
【００３９】
生体情報特定手段４５は、取得手段で取得した生体情報と該生体情報の対象者の個人情報とを対応付けるものである。測定器１３により測定した生体情報がどの対象者の測定情報であるかは、種々の方法によって行うことができ、例えば、測定器１３が複数の対象者によって共用されるような場合には、後述するように、測定器１３に対して複数の対象者の個人情報を設定しておき、測定結果である生体情報とともに、個人情報を測定器１３から親機１１に送信して行うことができる。また、子機１２が複数台あり、子機１２の使用者が特定される場合には、子機ＩＤ情報記憶部３３に記憶された子機ＩＤに基づいて当該子機１２の個人情報記憶部１９に記憶された個人情報を参照して生体情報と対象者とを対応付けることができる。
【００４０】
次に、以上のように構成される生体監視システム１０の動作につき、図４及び図５に示すフローチャートに従って説明する。なお、図４は、子機１２の動作フローチャートであり、図５は、親機１１の動作フローチャートである。
【００４１】
子機１２の個人情報記憶部１９には、当該子機１２を所持する対象者の個人情報、例えば、対象者の氏名、性別、年齢、ＩＤ番号、使用する測定器１３の種類、測定する日時や測定回数等が、当該子機１２を特定する子機ＩＤ情報とともに記憶されている。
【００４２】
各子機１２の制御部１５は、生体情報の測定時刻になると（ステップＳ１０１：ＹＥＳ）、メッセージ記憶部２０から所定のメッセージを読み出し、子機１２の表示部２７及びスピーカ２８を制御して、例えば、「○○さん、△△の測定時刻です。」、「○○さん、今日は、△△の測定日です。」といった、測定を促すためのメッセージを対象者に報知する（ステップＳ１０２）。また、制御部１５は、通信部２５を介して、当該子機１２が測定待機中であることを示す測定待機信号を、子機１２を特定する子機ＩＤ情報とともに親機１１に送信する（ステップＳ１０３）。
【００４３】
一方、親機１１は、子機１２から測定待機信号を受信すると（ステップＳ２０１：ＹＥＳ）、測定器１３からの生体情報の送信を待機する。
【００４４】
そこで、子機１２を所持する対象者が、測定を促すメッセージに基づき、所定の測定器１３を使用して所定の測定を行うと、その測定結果である生体情報が測定器アダプタ４３を介して親機１１に送信される。なお、子機１２が複数台ある場合、測定器１３から送信された生体情報がどの子機１２を使用している対象者からのものであるのかが分からなくなる可能性がある。このような場合には、子機１２が複数台あり、子機１２の使用者が特定される場合には、子機ＩＤ情報記憶部３３に記憶された子機ＩＤに基づいて当該子機１２の個人情報記憶部１９に記憶された個人情報を参照して生体情報と対象者とを対応付けることができる。
【００４５】
また、測定器１３が複数の対象者により共用される場合には、例えば、各測定器１３に対して複数の対象者の個人情報を設定しておき、測定結果である生体情報とともに、個人情報を測定器１３から親機１１に送信するように構成することにより、生体情報と対象者とを関連付けることができる。例えば、測定器１３を使用する個々のユーザ（対象者）がそれぞれ当該測定器１３に個人のＩＤ等を登録しておき、測定時に当該登録した個人ＩＤを選択することで、測定した生体情報とその生体情報が誰の（どの対象者の）測定結果であるかを対応付けすることができる。
【００４６】
親機１１は、測定器１３から生体情報を受信すると（ステップＳ２０２：ＹＥＳ）、その測定結果を子機ＩＤ情報とともに測定結果記憶部３５に記憶させる（ステップＳ２０３）。次いで、親機１１は、子機ＩＤ情報に基づき、測定結果を通信部３８から該当する子機１２に送信する（ステップＳ２０４）。
【００４７】
子機１２は、親機１１から測定結果を受信すると（ステップＳ１０４：ＹＥＳ）、測定結果を測定結果記憶部２３に記憶させた後（ステップＳ１０５）、異常有無判定部２２において、測定結果を所定の基準値と比較し、当該子機１２を所持する対象者の健康状態に異常があるか否かを判定する（ステップＳ１０６）。
【００４８】
なお、ステップＳ１０２において、対象者に測定を促すメッセージを報知してから、所定時間が経過しても、親機１１から測定結果が送信されない場合には（ステップＳ１０４：ＮＯ）、対象者が測定を放置しているか、測定できない状態にある可能があるため、再度、測定を促すメッセージを子機１２から報知する（ステップＳ１０２）。
【００４９】
対象者が所定の測定を行い、子機１２の異常有無判定部２２による判定の結果、測定結果に異常がないものと判定された場合には（ステップＳ１０７：ＮＯ）、処理が終了する。なお、子機１２の測定結果記憶部２３と、親機１１の測定結果記憶部３５には、当該対象者の測定結果が履歴として記憶される。
【００５０】
一方、子機１２の異常有無判定部２２による判定の結果、測定結果に異常があると判定された場合（ステップＳ１０７：ＹＥＳ）、異常有無判定部２２は、アンケート情報記憶部２１からアンケート情報を読み出し、表示部２７にアンケート処理の実施を指示する表示を行うとともに、スピーカ２８を用いた音声によるアンケート処理の実施を指示する報知を行う（ステップＳ１０８）。なお、アンケート処理の実施の指示は、例えば、測定器１３による測定結果において、２回連続して、最高血圧が１４０ｍｍＨｇ以上、又は、最低血圧が９０ｍｍＨｇ以上である場合、高血圧の可能性があり、医師又は家族に相談する必要があると判定された場合、アンケートの実施を指示し、それ以外は指示しない、とすることができる。
【００５１】
アンケートの内容及びその処理としては、例えば、
１．健康上、気になる自覚症状があるか？
２．血縁者に脳卒中や心筋梗塞等を起こした人がいるか？
３．最近、苛々するか？
４．生活の変化があったか？（食事、睡眠、仕事）
５．現在、薬を飲んでいるか？
の５項目のアンケートを行い、この中、３つ以上の回答がＹＥＳの場合、登録された医師及び家族への連絡が必要と判定し、ＹＥＳの回答が２つ以下の場合には、登録された家族のみに連絡するものと判定することができる。アンケートの結果は、アンケート結果記憶部２４に記憶される（ステップＳ１０９）。
【００５２】
次に、子機１２の制御部２９は、通信部２５を介して、子機ＩＤ情報とともにアンケート結果を親機１１に送信する（ステップＳ１１０）。
【００５３】
親機１１は、子機１２から子機ＩＤ情報及びアンケート結果を受信すると（ステップＳ２０５：ＹＥＳ）、アンケート結果を子機ＩＤ情報とともにアンケート結果記憶部３６に記憶させる（ステップＳ２０６）。なお、子機１２からアンケート結果を受信しない場合には（ステップＳ２０５：ＮＯ）、対象者の健康状態に問題がなく、外部への連絡の必要がないものと判断し、処理を終了する。
【００５４】
一方、対象者に異常があるものと判定され（ステップＳ１０７：ＹＥＳ）、親機１１が子機１２からアンケート結果を受信した場合、親機１１は、生体情報特定手段４５により、取得手段で取得した生体情報と該生体情報の対象者の個人情報とを対応付けられた結果に基づいて、該生体情報と対応付けられた個人情報で特定される連絡先を連絡先記憶部３４から読出し（ステップＳ２０７）、測定結果及びアンケート結果を選択された連絡先である外部送受信機１４に送信する（ステップＳ２０８）。なお、選択される連絡先としては、例えば、上述したように、アンケート結果に従い、登録された医師及び家族、又は、登録された家族のみとすることができる。
【００５５】
親機１１は、選択された連絡先である外部送受信機１４と通信を行う（ステップＳ２０９）。連絡先が電話機の場合、連絡先が着信音に応答した際、自動音声の通話アナウンスにより、例えば、「子機１２からの電話です。○○さんの健康に異常が見られます。」、あるいは、「（子機１２の電話番号）の○○さんからの連絡です。健康に異常が見られます。健康相談です。この後通話できない場合には、この電話番号へ折り返し連絡してください。」等のアナウンスを行うことができる。また、連絡先がパソコンや携帯電話の場合には、例えば、上記の自動作成されたメッセージをメールにて連絡先に送信することもできる。
【００５６】
一方、連絡先の外部送受信機１４の家族等が音声着信に応答すると、その応答情報である音声は、親機１１を介して子機１２に送信され、子機１２の対象者との通話が開始される（ステップＳ１１１）。この場合、必要に応じて、親機１１に接続されているビデオカメラ４２を用いて対象者を撮影し、その画像を連絡先に送信することにより、対象者の状態をより的確に把握することが可能となる。
【００５７】
なお、本発明は、上述した実施例に限定されるものではなく、本発明の要旨を逸脱しない範囲で変更することが可能である。
【００５８】
上記実施例においては、子機１２を所持する対象者の生体情報の測定結果を所定の基準値（年齢、性別などから正常、異常と判断するための標準的な基準値範囲）と比較することにより異常有無判定部２２が対象者の健康状態に異常があるか否かを判定する例を説明したが、対象者のかかりつけの医療機関や主治医から対象者の正常、異常を判断するための特定の基準値（対象者の状況を考慮した特有の基準値）を得られる場合には、そのような特定の基準値に基づいて異常有無を判断するようにできる。
【００５９】
その場合には、個人情報記憶部１９に、子機１２を所持する生体監視の対象者を特定する個人情報、例えば、対象者の氏名、性別、年齢、ＩＤ番号、使用する測定器１３の種類、測定する日時や測定回数等、子機を特定する子機ＩＤ情報を記憶するとともに、そのような特定の基準値を記憶しておき、異常有無判定部２２は、個人情報記憶部１９に記憶された特定の基準値を参照して、対象者の生体情報の測定結果を対比させて異常の有無を判定するように構成することもできる。
【００６０】
また、上述した実施例では、対象者が所持する子機１２に測定を促すメッセージを報知させることとしたが、親機１１にもメッセージを報知させるようにしてもよい。また、電話機としては、子機１２を有していない親機１１のみからなる構成とすることもできる。さらに、測定器１３は、親機１１の測定器アダプタ４３に接続される構成としたが、各子機１２に接続される構成とすることもできる。この場合、各子機１２と測定器１３とは、親機１１の場合と同様に、Ｂｌｕｅｔｏｏｔｈ、赤外線、ＷｉＦｉ、特定小電力無線等の無線通信、又は、ＵＳＢ接続等の有線通信によって接続させることができる。
【符号の説明】
【００６１】
１０・・・生体監視システム
１１・・・親機
１２・・・子機
１３・・・測定器
１４・・・外部送受信機
１５、２９・・・制御部
１９・・・個人情報記憶部
２０・・・メッセージ記憶部
２１・・・アンケート情報記憶部
２２・・・異常有無判定部
２３、３５・・・測定結果記憶部
２４、３６・・・アンケート結果記憶部
２５、３８・・・通信部
２６、３９・・・操作部
２７、４０・・・表示部
２８、４１・・・スピーカ
３３・・・子機ＩＤ情報記憶部
３４・・・連絡先記憶部
３５・・・測定結果
４２・・・ビデオカメラ
４３・・・測定器アダプタ
４５・・・生体情報特定手段
【図１】
0005735848.tif 000002
【図２】
0005735848.tif 000003
【図３】
0005735848.tif 000004
【図４】
0005735848.tif 000005
【図５】
0005735848.tif 000006